(57)【要約】【課題】被施療者がいかような体格であっても、また、被施療者が自分で着座した状態がマッサージ機設計者が想定している理想の座り方とかけ離れていても、少なくとも施療までには被施療者の座り方を矯正し機器設計者が想定する十分なマッサージを提供し、特に、腰部分の患部に対し理想的なマッサージを行えるイス式マッサージを提供する。【解決手段】施療操作部８から施療指令が入力された場合に少なくとも座部２が傾動するので、施療前に座部２に着座している被施療者を背もたれ部１方向に体重をシフトさせ、かかる体重のシフトに伴って被施療者の背中が背もたれ部１に十分に密着し、同時に、被施療者の腰の付け根部分が座部２と背もたれ部１が形成する穴に落ち込み密着し、被施療者がどのような体格であってもどのような座り方をしていても、腰の付け根部分及び背中がそれぞれ本機設計者が想定する箇所に密着させることができ、十分なマッサージ効果を被施療者に与えることができる。【選択図】  図５
2004344316.tif 000002
【特許請求の範囲】
【請求項１】
背もたれ部と座部とを少なくとも備えるイス式マッサージ機において、
座部の定常状態から座部の前端が後端よりも上昇するように座部が傾動することを
特徴とするイス式マッサージ機。
【請求項２】
前記請求項１に記載のイス式マッサージ機において、
前記座部の傾動中に座部と背もたれ部との形成角を維持する若しくは小さくすることを
特徴とするイス式マッサージ機。
【請求項３】
前記請求項１又は２に記載のイス式マッサージ機において、
脚置部を備え、
前記座部の傾動中に座部と脚置部との形成角を維持する若しくは大きくすることを
特徴とするイス式マッサージ機。
【請求項４】
背もたれ部と座部とを少なくとも備えるイス式マッサージ機において、
施療操作部から施療指令が入力された場合に少なくとも座部の前端が後端よりも上昇するように座部が傾動することを
特徴とするイス式マッサージ機。
【請求項５】
背もたれ部と座部と脚置部とを少なくとも備えるイス式マッサージ機において、
施療操作部から施療指令が入力された場合に少なくとも座部が座部の前端が後端よりも上昇するように傾動し、この傾動に連動して脚置部が脚置部の前端が上昇するように傾動することを
特徴とするイス式マッサージ機。
【請求項６】
前記請求項４又は５に記載のイス式マッサージ機において、
前記座部の傾動完了後に、身体の部位の位置を検出する身体部位検出を行うことを
特徴とするイス式マッサージ機。
【請求項７】
前記請求項１ないし６に記載のイス式マッサージ機において、
背もたれ部及び／又は座部に被施療者が接触しているか否かを検出可能な接触検出器を設け、かかる検出器で背もたれ部及び／又は座部で接触を検出できない場合には、前記座部の傾動を中止することを
特徴とするイス式マッサージ機。
【発明の詳細な説明】
【０００１】
【発明の属する技術分野】
本発明は、背もたれ部及び座部を備えるイス式マッサージ機に関し、特に、被施療者の着座状態に関連するイス式マッサージ機に関する。
【０００２】
【従来の技術】
従来のイス式マッサージ機としては、特開平１１−２７６５３９号公報及び特開平９−２９４７９１号公報に開示されるものがあり順次説明していく。
特開平１１−２７６５３９号公報に開示される従来のイス式マッサージ機（以下、第１の従来のイス式マッサージ機とする）は、揉子などの動作をマイコンに記憶させて、揉み、叩き、ローリングなどを自動的に行うマッサージコースを備え、背もたれ部の傾斜角度をマイコンにより変化させるリクライニング機能を、前記コースマッサージの中に組み入れた構成である。
【０００３】
この第１の従来のイス式マッサージ機によれば、リクライニング機能付きのコースボタンを押すことにより、マイコンに記憶されている揉子の揉みや叩きなどの機能が作動し、この動きに合わせて電動アクチュエーターが作動して出力軸が前後に移動し、この動きに伴い背もたれ部が前方或いは後方に移動するので、揉子が移動するのに合わせて、自動的に背もたれ部を倒すことが可能になり、自分の体重を利用して施療部に圧力を加えることができるようになり効果のあるマッサージを行うことができる。
【０００４】
特開平９−２９４７９１号公報に開示される従来のイス式マッサージ機（以下、第２の従来のイス式マッサージ機とする）は、着座した状態の人に対し、揉む、叩く、または指圧するなどの加療を行う機能を備え、さらに、床面に据えられるベース部と、ベース部に対して前に傾斜するよう全体を持ち上げる前傾上昇動作を行い、シート部、背もたれ部、肘掛け部を有する可動部と、前記前傾上昇動作を行う動作機構部とを備える構成である。
【０００５】
この第２の従来のイス式マッサージ機によれば、シート部、背もたれ部、肘掛け部を有する可動部が前に傾斜するよう全体を持ち上げれる前傾上昇動作を行うことにより、自力でしゃがむことが苦痛な人も容易に着座でき、また、自力で立つことが苦痛な人も、着座した状態から容易に立ち上がることができる。
【０００６】
【特許文献１】
特開平１１−２７６５３９号公報
【０００７】
【特許文献２】
特開平９−２９４７９１号公報
【０００８】
【発明が解決しようとする課題】
前記第１の従来のイス式マッサージは以上のように構成されていたため、背もたれ部が前方又は後方に移動することで施療子に対して被施療者の体重をかけ被施療者の患部へ強い押圧力を生じさせ強いマッサージをすることができるものの、被施療者の座り方が悪く、特に、腰の付け根部分が背もたれ部と座部との連結部分に密着していない場合に、背もたれ部を前方又は後方に移動しても機器設計者が想定する十分なマッサージ効果を得ることができないという課題を有し、また、腰部分をマッサージするには他の患部と比べより大きなマッサージ力を必要とするため被施療者の腰部分を施療する場合に背もたれ部が前方又は後方に移動するだけでは自重のかかり十分でなく施療中に腰部分が浮いてしまったり移動したりするという課題を有する。被施療者の座り方が悪いのは被施療者だけの問題でなく、マッサージ機設計者の設計が原因となっている部分もあり、すなわり、マッサージ機設計者は誰でも使用できるように大きめのマッサージ機を設計するが、このことにより座部の縦幅長が長くなり膝裏を座部の先頭に合わせてしまうと腰の付け根が密着しないという前記場合が生じることとなる。
【０００９】
前記第２の従来のイス式マッサージは以上のように構成されていたため、シート部、背もたれ部、肘掛け部を有する可動部が前に傾斜するよう全体を持ち上げられ、自力では起立、着座が困難な施療者であっても容易に起立、着座することができるものの、定常時に比べ座部の背もたれ部側の端が起立、着座するときに持ち上がるだけで、マッサージ効果に寄与していないという課題を有する。
【００１０】
本発明は前記課題を解決するためになされたもので、被施療者がいかような体格であっても、また、被施療者が自分で着座した状態がマッサージ機設計者が想定している理想の座り方とかけ離れていても、少なくとも施療までには被施療者の座り方を矯正し機器設計者が想定する十分なマッサージを提供し、特に、腰部分の患部に対し理想的なマッサージを行えるイス式マッサージを提供することを目的とする。
【００１１】
【課題を解決するための手段】
本発明に係るマッサージ機は、背もたれ部と座部とを少なくとも備えるイス式マッサージ機において、座部の定常状態から座部の前端が後端よりも上昇するように座部が傾動するものである。このように本発明においては、座部の定常位置から座部の前端が後端よりも上昇するように座部を傾動させているので、座部に着座している被施療者を背もたれ部方向に体重をシフトさせ、かかる体重のシフトに伴って被施療者の背中が背もたれ部に十分に密着し、同時に、被施療者の腰の付け根部分が座部と背もたれ部が形成する穴に落ち込み密着し、被施療者がどのような体格であってもどのような座り方をしていても、腰の付け根部分及び背中がそれぞれ本機設計者が想定する箇所に密着させることができ、十分なマッサージ効果を被施療者に与えることができる。また、座部と背もたれ部が形成する穴に腰の付け根部分が落ち込むことで、背もたれ部のリクライニング時の中心と被施療者の上半身の曲折の中心が近づき、背もたれ部がリクライニングしても被施療者の肩位置がずれず、ずれ補正やずれた肩を検出する等の特別の手段を用いることなく適切なマッサージを被施療者に提供することができる。また、座部と背もたれ部が形成する穴に腰の付け根部分が落ち込むということは、腰部分にこれ以上ない自重がかかっており強力なマッサージ力を必要とする腰部分のマッサージにおいて最適な状態を形成しており、理想的な腰部分のマッサージを被施療者に提供することができる。ここで、定常状態とは水平面と完全に平行でなく前端が後端よりも若干上昇した位置にあって傾いた状態をいい、この状態から本発明はさらに傾いた状態を形成する。ところで、発明者は座部が傾動して前上がりの状態が顕著になれば、前記背もたれ部と座部が形成する角度は、ある程度小さい方が容易に座部と背もたれ部が形成する穴に腰の付け根部分が落ち込みやすいことを知見した。よって、前記背もたれ部と座部との形成角を広げることなく固定したまま座部を傾動させることで、容易に座部と背もたれ部が形成する穴に腰の付け根部分が落ち込むことができる。
【００１２】
本発明に係るマッサージ機は、前記座部の傾動中に座部と背もたれ部との形成角を維持する若しくは小さくするものである。このように本発明においては、前記座部の傾動中に座部と背もたれ部との形成角を維持する若しくは小さくしているので、形成角の維持により座部が傾動した分背もたれ部もリクライニングした状態となり腰の背もたれへの押し当てがより確実になり、さらに、形成角を小さくすることで上述のように、より腰の付け根部分が穴に落ち込みやすくなり、したがってより背もたれ部と身体（特に腰部）が密着することになる。座部が傾動した分に加えて背もたれ部のリクライニングが起き上がった状態となってより腰の背もたれへの押し当てが強くなる。特に座部のみが傾動し、背もたれ部が鉛直方向に対し絶対的に傾動しない構成とした場合、身体の背もたれ部への凭れ掛かり度合いの変化が小さいので背もたれ部に備わったもみ玉のような施療部の施療度合いに差が出難い構成となり都合が良い。
【００１３】
本発明に係るマッサージ機は、前記座部の傾動中に座部と脚置部との形成角を維持する若しくは大きくするものである。このように本発明においては、前記座部の傾動中に座部と脚置部との形成角を維持する若しくは大きくしているので、座部のみが傾動して脚置部がそのままの状態を保つものと比べて形成角の維持により座部と脚置部の接合部分に形成される凸に膝裏が引っかからずに膝裏周辺に中に負担をかけることがないと共に、身体の背もたれ側への移動がスムーズとなって腰の付け根部分が落ち込むことを助長することとなり、さらに、形成角を大きくすることにより座部と脚置部の接合部分に形成される凸がよりフラットに近い状態になり前述した膝裏周辺に対する負担の低減化及び腰の付け根部分の落ち込みへの助長をさらに進めることとなる。
【００１４】
本発明に係るマッサージ機は、背もたれ部と座部とを少なくとも備えるイス式マッサージ機において、施療操作部から施療指令が入力された場合に少なくとも座部の前端が後端よりも上昇するように座部が傾動するものである。このように本発明においては、施療操作部から施療指令が入力された場合に少なくとも座部が傾動するので、施療前に座部に着座している被施療者を背もたれ部方向に体重をシフトさせ、かかる体重のシフトに伴って被施療者の背中が背もたれ部に十分に密着し、同時に、被施療者の腰の付け根部分が座部と背もたれ部が形成する穴に落ち込み密着し、被施療者がどのような体格であってもどのような座り方をしていても、施療前若しくは施療中に腰の付け根部分及び背中がそれぞれ本機設計者が想定する箇所に密着させることができ、十分なマッサージ効果を被施療者に与えることができる。施療操作部から施療指令が入力されたとは、例えば、被施療者又は施療者がリモコンを操作して施療開始に関連するボタンを押下されることが該当するが、これに限らず、例えばいくつかのマッサージを組み合わせた自動マッサージコースがあって被施療者がリモコンを操作してこの自動コースに係るボタンを押下することも該当し、また、自動コースに係るボタンが押下された後自動コースを構成するいくつかのマッサージのうちの一つのマッサージに係る施療指令が入力された場合も含む。詳細に説明すると、施療操作部からマッサージを制御する制御部を構成するマイコンに対し施療指令が入力されることが該当し、またマイコンが単に施療操作部の施療指令をもみ玉やエアセル等の各種施療手段を動作させる機構へ伝達するためのものだとするとマイコンから各種施療手段を動作させる機構への施療指令が入力されることも含むこととなる。
【００１５】
また、本発明に係るマッサージ機は、背もたれ部と座部と脚置部とを少なくとも備えるイス式マッサージ機において、施療操作部から施療指令が入力された場合に少なくとも座部が座部の前端が後端よりも上昇するように傾動し、この傾動に連動して脚置部が脚置部の前端が上昇するように傾動するものである。このように本発明においては、施療操作部から施療指令が入力された場合に少なくとも座部が傾動し、この傾動に連動して脚置部が傾動するので、施療前に座部の傾動によりに座部に着座している被施療者を背もたれ部方向に体重をシフトさせ、かかる体重のシフトに伴って被施療者の背中が背もたれ部に十分に密着し、脚置部の傾動により脚置部と座部が形成する曲折部分に被施療者の膝下裏が引っかかることなく被施療者の腰の付け根部分が座部と背もたれ部が形成する穴に落ち込み密着し、被施療者がどのような体格であってもどのような座り方をしていても、腰の付け根部分及び背中がそれぞれ本機設計者が想定する箇所に密着させることができ、十分なマッサージ効果を被施療者に与えることができる。
【００１６】
また、本発明に係るマッサージ機は必要に応じて、前記座部の傾動完了後に、身体の部位の位置を検出する身体部位検出を行うものである。このように本発明においては、前記座部の傾動完了後に、身体部位検出をするので、座部の傾動完了、すなわち、座部に着座している被施療者を背もたれ部方向に体重をシフトさせ、かかる体重のシフトに伴って被施療者の背中が背もたれ部に十分に密着し、同時に、被施療者の腰の付け根部分が座部と背もたれ部が形成する穴に落ち込み密着し、被施療者がどのような体格であってもどのような座り方をしていても、腰の付け根部分及び背中がそれぞれ本機設計者が想定する箇所に密着している状態となっており、この状態で身体の部位を検出する身体部位検出をすることで本機設計者が想定する条件を満たした上で身体部位の位置等を正確に検出することができる。例えば、身体部位検出が対象とする身体の部位を肩だとし肩位置を検出する場合に、被施療者が適切に着座していなければ正確な肩位置を測ることはできず、誤差が大きい肩位置を基準にマッサージ動作を続行することで十分なマッサージを得られないばかりか、被施療者に悪影響なマッサージ若しくは怪我を負わせる可能性を有し安全性の面から好ましくない。他の身体部位検出が対象とする身体の部位としては、肩甲骨、上腕、背骨等があり、検出可能な身体の部位全てを対象とすることができる。
【００１７】
また、本発明に係るマッサージ機は必要に応じて、背もたれ部及び／又は座部に被施療者が接触しているか否かを検出可能な接触検出器を設け、かかる検出器で背もたれ部及び／又は座部で接触を検出できない場合には、前記座部の傾動を中止するものである。このように本発明においては、背もたれ部及び／又は座部の背もたれ側に被施療者が接触しているか否かを検出可能な接触検出器を設け、かかる検出器で背もたれ部及び／又は座部の背もたれ側で接触を検出できない場合には、前記座部の傾動を中止しているので、被施療者が前傾姿勢、若しくは、座部の先端側に体の重心を預けている可能性があり、このまま座部の傾動を進めると座部の傾動機構を故障に至らしめるだけでなく、被施療者が勢いよく背もたれ部に転げ落ちたり、被施療者が座部の前端から落ちたりし、被施療者にとっても大変危険であり、かかる危険を事前に防ぐことができる。
【００１８】
【発明の実施の形態】
（本発明の第１の実施形態）
本発明の第１の実施形態に係るイス式マッサージ機について図１ないし図９に基づいて説明する。図１は本実施形態に係るイス式マッサージ機に外観斜視図、図２は本実施形態に係るイス式マッサージ機の側面の断面図、図３は本実施形態に係るイス式マッサージ機のメカユニットの正面図、図４は本実施形態に係るイス式マッサージ機のメカユニットの右側面図、図５は本実施形態に係る座部の傾動完了位置でのイス式マッサージ機の側面の断面図、図６は本実施形態に係る背もたれ部のリクライニング時及びフットレストの傾動時のイス式マッサージ機の側面の断面図、図７は本実施形態に係るリモコンの蓋開閉時の正面図、図８は本実施形態に係るイス式マッサージ機の動作フローチャート、図９は本実施形態に係るイス式マッサージ機の各状態と被施療者との関係の一例を示した説明図である。
【００１９】
前記各図において本実施形態に係るイス式マッサージ機は、被施療者の背中を支持する背もたれ部１と、この背もたれ部１下端と接し被施療者の臀部を支持する座部２と、被施療者の肘を支持する肘置き３と、座部２の先端下側に枢設され被施療者の足が載置されるフットレスト４と、背もたれ１部の内部にもみ玉５１及びもみ玉５１を動作させるもみ玉機構を有するメカユニット５とを備え、施療操作部から施療指令が入力された場合に少なくとも座部の前端が後端よりも上昇するように座部２が傾動し、この傾動に連動してフットレスト４が脚置部の前端が上昇するように傾動する構成である。ここで、本実施形態に係るマッサージ機の背もたれ部１を座部２に枢着して回動自在にし、リクライニング機能を付加することもできる。また、フットレスト４とは被施療者の脚を支持及びマッサージする脚置部のことであり、施療操作部とはリモコン８のことである。施療操作部から施療指令が入力を受け付け、座部２を背もたれ部１方向に傾動させる制御、又は、施療制御等の各種制御を行う制御部（図示しない）を本実施形態においてはリモコン８に内蔵するものとする。
【００２０】
前記背もたれ部１は、図２から図６へ示すようにリクライニングでき、被施療者との接触面の両端側に図示しないクッション材を配設することもでき、着座して背もたれ部にもたれると被施療者の背中が背もたれ部の中心に位置するようになっている。図２に示すように背もたれ部１の長手方向が略鉛直方向である状態を背もたれ部１が定常位置にある、若しくは、背もたれ部１の定常状態であるという。
【００２１】
前記座部２は、背もたれ部１方向に傾動可能であり、定常時で水平面と完全に平行でなく前端が後端よりも若干上昇した位置にあって傾いており（図２の座部２の状態をいう。この状態を座部２が定常位置にある、若しくは、座部２の定常状態であるという）、下面で座部基台１４と接合しさらにこの座部基台１４の下面と枢軸結合部１５とが接合している構成である。座部２は定常状態以外に水平面と略平行に上面を有している場合があり、この場合一般的なマッサージ機は定常時でマッサージ動作を行える状態にしているため定常時で座部の前端が後端側より上昇し背もたれ部方向から見て傾斜した状態となっており被施療者が着座し難いために、一般的なイスが座部の上面を水平面と略平行に有しているのに習って、少なくとも着座の困難性を生じないという効果が生じ、座部２を適宜この状態にすることが好ましいときがあり、例えば、使用していないとき、並びに、立ち上がろうとするとき若しくは着座するときが該当する。なお、座部２の前端とは図２で説明すればフットレスト４と接合している周辺の座部２の端のことをいい、座部３の後端とは背もたれ部１と接合している周辺の座部２の端のことをいう。特に、前端と後端とを比較して用いてるときには前端は前端のどこか一点を意味し、後端は前端に対応する後端の一点を意味する（例えば、図２中の点ａが前端であれば後端は点ｂとなる）。また、被施療者に適切な施療を提供できるような位置（傾動完了位置）に座部２を傾動させた状態を座部２の傾動完了状態という（図３参照）。
【００２２】
前記肘置き３は、座部２の両側に位置しベース６と接合し、背もたれ部１がリクライニングし、座部２が傾動しても被施療者の前腕を安定的に支持するように形成している。この肘置き３、座部２及びベース６により空洞が形成され、背もたれ部１がリクライニングするためのリクライニング機構、座部２が傾動する座部傾動機構、フットレスト４が傾動するフットレスト傾動機構がこの空洞に納置されている。他にも、後述する背中用エアセル９ａ、腰用エアセル９ｂ、臀部用エアセル９ｃ、太腿用エアセル９ｄ及び脚用エアセル１０にエアを供給するエアポンプ１１が納置されている。また、肘置き３の被施療者の前腕を支持する部分にエアセルを設ける構成とすることもできる。
【００２３】
前記フットレスト４は、座部２の前端側に位置し、図２から図６へ示すように被施療者の患部面方向に傾動する。図２に示すようにフットレスト４の長手方向が鉛直方向である状態をフットレスト４が定常位置にある、若しくは、フットレスト４の定常状態であるという。なお、座部２の前端とは図２で説明すれば座部２の接合していない側のフットレスト４の先端のことをいう。
【００２４】
前記メカユニット５は、図３及び図４に示すように、もみ玉５１及びもみ玉５１を動作させるもみ玉機構を有し傾動可能な傾動部５２と、この傾動部５２を傾動可能な状態で支持するベース５３とからなる。このベース５３にはメカユニット５が昇降するための昇降軸５４が配設され、この昇降軸５４の両端にローラ５５ａ、５５ｂがそれぞれ設けられている。ベース５３のローラ５５ａ、５５ｂの上部位置にさらにローラ５５ｃ、５５ｄが設けられている。このローラ５５ａ、５５ｂ、５５ｃ、５５ｄが挿嵌されるガイドレール７が両端を背もたれ部１に固定することで配設されている。このガイドレール７は、断面凹状の一対で背もたれ部１に沿った形状をしている。このガイドレール７にローラ５５ａ、５５ｂ、５５ｃ、５５ｄを挿嵌すると、昇降軸５４がベース５３に配設される昇降モータ５３ｃが回転することでウォーム５３ｄ及びウォームホイール５３ｅを介して昇降軸５４が回転し、昇降軸５４に応じてローラ５５ａ、５５ｂが回転しそれに伴いローラ５５ｃ、５５ｄも回転し、ローラ５５ａ、５５ｂ、５５ｃ、５５ｄの回転と共にローラ５５ａ、５５ｂ、５５ｃ、５５ｄがガイドレール７に沿って移動する。このようなローラ５５ａ、５５ｂ、５５ｃ、５５ｄの移動により、ローラ５５ａ、５５ｂ、５５ｃ、５５ｄを配設したメカユニット５自体の移動が可能となる。
【００２５】
前記肘置き３、座部２及びベース６により形成されている空洞に納置されているリクライニング機構、座部傾動機構及びフットレスト傾動機構の詳細構成について説明する。但し、各機構が背もたれ部１のリクライニング、座部２の傾動及びフットレスト４の傾動を実現できれば、この詳細構成に限定されない。座部傾動機構は、前記座部２の座部基台１４に枢軸結合部１５を接合し、この枢軸結合部１５を図示しないベース６と接合している支持部に係る枢軸１５ａを介して枢設される構成により座部２を傾動可能とし、動力源としては座部基台１４に接合する座部アクチュエーター１２ａ及び１２ｂを用いている。この座部アクチュエーター１２ａの延出部分が伸張すると共に、もう一方の座部アクチュエーター１２ｂの延出部分が縮退することで、枢軸１５ａを中心として座部２の前端が上昇し座部２の後端が下降し、図５に示すように背もたれ部１方向に傾動することができる。逆に、この座部アクチュエーター１２ａの延出部分が縮退すると共に、もう一方の座部アクチュエーター１２ｂの延出部分が伸長することで、枢軸１５ａを中心として座部２の前端が下降し座部２の後端が上昇し、背もたれ部１逆方向に傾動し図２に示す定常状態に座部２を戻すことができる。座部２水平から背もたれ部１方向への範囲での傾動のみさせる必要がある場合には、枢軸結合部１５に対抗する位置にストッパーを設けることで傾動範囲を限定することができる。また、被施療者が傾動中に体重移動をし傾動動作に影響を与えても現在傾動している方向と逆方向に傾動しないように、補助的に一方方向にのみ回転するギアを配設することもできる。このギアは一方向への回動しかできないため配設するならば、逆方向のギアも併せて設けることが好ましい。リクライニング機構は、前記座部２の枢軸結合部と背もたれ部１の一部とが第１のリンク１３ａを介して結合し、第１のリンク１３ａの枢軸を軸としてリクライニング可能とし、動力源としては枢軸結合部１５の接合する背もたれ部アクチュエーター１２ｃを用いている。この背もたれ部アクチュエーター１２ｃの延出部分が縮退することで、背もたれ部１が第１のリンク１３ａの枢軸を軸として水平方向に図６に示すようにリクライニングし、逆に、背もたれ部アクチュエーター１２ｃの延出部分が伸長することで、背もたれ部１が第１のリンク１３ａの枢軸を軸として垂直方向に背もたれ部１が図５に示すように起き上がる。フットレスト傾動機構は、前記座部２の枢軸結合部とフットレスト４の一部とが第２のリンク１３ｂを介して結合し、第２のリンク１３ｂの枢軸を軸として傾動可能とし、動力源としては枢軸結合部１５の接合するフットレスト部アクチュエーター１２ｄを用いている。このフットレスト部アクチュエーター１２ｄの延出部分が伸長することで、フットレスト４が第２のリンク１３ｂの枢軸を軸として図６に示すように水平方向に傾動し、逆に、フットレスト部アクチュエーター１２ｄの延出部分が縮退することで、背もたれ部１が第１のリンク１３ａの枢軸を軸として図５に示すように垂直下方向に傾動する。
【００２６】
前記したリクライニング機構、座部傾動機構及びフットレスト傾動機構は、それぞれ独立して動かすことができ、例えば、座部傾動機構により座部２を傾動させながら、リクライニング機構により背もたれ部をリクライニングすることができる。リクライニング機構、座部傾動機構及びフットレスト傾動機構を同時に動作させて所望の状態に本マッサージ機をするのが、動作開始から動作完了までの時間を短縮するという観点からは望ましい。また、座部傾動機構により座部２を背もたれ部１方向に傾動させると、座部２のみが枢軸１５ａを中心に傾動するだけでなく、背もたれ部アクチュエーター１２ｃが伸長も縮退もせず固定状態を維持しているので背もたれ部１もかかる枢軸１５ａを中心に回動し背もたれ部１が定常時と比べリクライニングしている状態となり、同様に、フットレスト部アクチュエーター１２ｄが伸長も縮退もせず固定状態を維持しているのでフットレスト４もかかる枢軸１５ａを中心に回動しフットレスト４が定常時と比べ水平方向に傾動している状態となる（図５参照）。なお、定常時の座部２の上面が水平と略平行とし０［度］とすると、図５においては、座部２（背もたれ部１及びフットレスト４）がα［度］傾動したこととなる。被施療者の仰角がα度上昇したということもできる。
【００２７】
本マッサージ機は、メカユニット５のもみ玉５１によるメカマッサージと、背中用エアセル９ａ、腰用エアセル９ｂ、臀部用エアセル９ｃ、太腿用エアセル９ｄ並びに脚用エアセル１０、１０ａ、１０ｂ、１０ｃ及び１０ｄの各種エアセルによるエアセルマッサージとを提供する。メカマッサージは、例えば、もみモータを正回転させながらメカユニット５を上昇させていくもみ上げ、もみモータ逆回転させながらメカユニット５を下降させていくもみ下げ、たたきモータを正回転させるたたき、一箇所を押圧する指圧等のもみ玉５１によるマッサージである。エアセルマッサージは、背中用エアセル９ａ、腰用エアセル９ｂ、臀部用エアセル９ｃ及び太腿用エアセル９ｄにエアポンプ１１によりエアを供給し膨張させ接触する被施療者の患部周辺の自重とで患部を押し上げるマッサージと、２つの脚用エアセル１０が一組となってエアを供給され膨張し被施療者の患部を挟むマッサージとからなる。
【００２８】
図７に示すリモコン８を介して本マッサージ機に被施療者若しくは施療者が指示し、指示に従いこのメカマッサージ及びエアセルマッサージを本マッサージ機が提供する。リモコン８によって被施療者若しくは施療者は、前記したもみ上げ、もみ下げ、背中用エアセル９ａのような一つのマッサージ毎に強さ、速さ、時間を指定し、若しくは、動作中に指定変更しながらマッサージを指示することもできるが、かかる一つのマッサージを予め複数組み合わせて一つのマッサージコースとした自動マッサージコースというものも本マッサージ機に用意してあり、例えば、図７に示すリモコン８では首・肩コース、全身コース、腰コースの自動マッサージコースを用意している（首・肩コースは「首・肩」ボタンで指定でき、全身コースは「全身」ボタンで指定でき、腰コースは「腰」ボタンで指定できる）。なお、図７に示すリモコン８には、開閉可能な蓋が配設してあり、蓋を閉じた状態が図７（ａ）であり、蓋を開いた状態が図７（ｂ）となる。また、メカマッサージのみからなるコースをメカコースと呼び、エアセルマッサージのみからなるコースをエアコースと呼ぶ。リモコン８の表示画面８ａに背もたれ部１、座部２及びフットレスト４の位置を示すこともできる。
【００２９】
前記図７（ａ）に示すリモコン８の各ボタンは、もみ玉５１が上下に移動させる「上下」ボタン８ｂ、マッサージを開始する、または、マッサージを終了してもみ玉５１を収納する「スタート／収納」ボタン８ｃ、マッサージの動作を止める「停止」ボタン８ｄ、前記した「首・肩」ボタン８ｅ、「全身」ボタン８ｆ及び「腰」ボタン８ｇ、自動マッサージコースを一時停止させ、再び、停止を解く「一時停止」ボタン８ｈ、自動マッサージコースが短縮された自動マッサージコースをする「短縮」ボタン８ｉ、自動マッサージコースのマッサージの強さを調整する「強さ」ボタン８ｊ、腕のエアセルを設けた場合に動作させるエアセルを切りかえる「腕」ボタン８ｋ、自動マッサージコース中のエアセルの動作を変更する「フットストレッチ」ボタン８ｌ、「パルス」ボタン８ｍ及び「脚同時」ボタン８ｎ、自動マッサージコースのエアセルの強さを変更する「強さ」ボタン８ｏ、バイブの入／切を行う「バイブ」ボタン８ｐ、ヒータの入／切を行う「ヒータ」ボタン８ｑ、フットレスト４を傾動させる「フットレスト」ボタン８ｒ、背もたれ部１をリクライニングさせる「リクライニング」ボタン８ｓ、並びに、座部２を傾動させる「座部」ボタン８ｔからなる。
【００３０】
前記図７（ａ）の状態のリモコンから蓋を開いた図７（ｂ）のリモコン８の各ボタンの中で新たに表出した各ボタンは、１０種類のマッサージから選択できる「機能」ボタン８Ａ、ストレッチ動作にもみやたたきといったマッサージを加えた複合マッサージを選択する「ストレッチ」ボタン８Ｂ、３Ｄマッサージを選択する「３Ｄ」ボタン８Ｃ、数段階に速さを調節できる「速さ」ボタン８Ｄ、幅を数段階に調節する「幅」ボタン８Ｅ、上下に移動しながらマッサージする範囲をセットし、または、肩位置が未設定のとき肩位置合わせを行う「全体／部分」ボタン８Ｆ、強さを強い方向に数段階に調節する「強」ボタン８Ｇ、強さを弱い方向に数段階に調節する「弱」ボタン８Ｈ、腕のエアセルを設けた場合に動作させるエアセルを切りかえる「腕」ボタン８Ｉ、エアセルを選択する「部位」ボタン８Ｊ、エアセルの動作を変更する「フットストレッチ」ボタンＫ、「パルス」ボタン８Ｌ及び「脚同時」ボタン８Ｍ、エアセルの強さを変更する「強さ」ボタン８Ｎからなる。
【００３１】
前記各種のマッサージを正確に行えるのは前記リモコン８に内蔵された制御部が制御しているためである。具体的に説明すると、制御部が制御信号を出力し、この制御信号がスイッチの役目を果たし傾動部５２の内部に配設され、もみ玉５１を揺動等させるもみ玉機構の該当モータ若しくはエアセルにエアを供給するエアポンプ１１の該当モータに電力を適宜供給することで実現している。ここで、もみ玉機構若しくはエアポンプ１１が複数モータを有しその中のいくつかのモータを動作することで所望のもみ玉５１による施療若しくはエアセルによる施療を行えることを前提として説明したが、ギアを入れ替えたり、バネの弾性を用いたり等の他の手段を制御することにより所望の施療を実現することができる。この制御信号の基なるデータ信号が図示しないＲＯＭに格納されていて、制御部はこのデータ信号をＲＯＭから読み出しこのデータ信号を基に制御信号を出力している。すなわち、もみ上げ、もみ下げ等の一つのマッサージに対応するデータ信号がＲＯＭに格納され、さらに、自動マッサージコースはこの一つのマッサージを組み合わせたものであるため自動マッサージコースに対応するデータ信号も一つのマッサージに対応するデータ信号を組み合わせたものとなる。
【００３２】
次に、本実施形態に係るマッサージ機の使用動作について説明する。予めマッサージ機は、背もたれ部１、座部２及びフットレスト４が定常位置にある。前回の終了時になんらかの原因で背もたれ部１、座部２及びフットレスト４が定常位置になかったとしても、電源がＯＮされることで自動的に定常位置に戻ることとする。被施療者は、座部２に着座しフットレスト４に足を挟みこみ背もたれ部１に背もたれ、前腕を肘置き３に載せる。次に、被施療者はマッサージ機に施療の開始を要求すべく、例えば、リモコン８の複数のマッサージの指定する「機能」ボタン８Ａを押下し一つのマッサージを指令する。リモコン８が指定された一つのマッサージに係る施療指令を前記制御部に出力する。前記制御部は指定された一つのマッサージに係る施療指令を入力され（ステップ１０、以下随時図８参照）、座部２を背もたれ部１方向に傾動させる（ステップ１１）。制御部は座部２が傾動完了位置に傾動したか否かを判断し（ステップ１２）、傾動していないと判断した場合にはさらに傾動させ（ステップ１１）、傾動したと判断した場合に座部２の背もたれ部１方向への傾動を停止させる（ステップ１３）。ステップ１３完了後に、制御部は指定された一つのマッサージに係る施療指令に対応してＲＯＭから指定された一つのマッサージに係るデータ信号を読み出し、このデータ信号を基に制御信号を生成し出力し施療を開始する（ステップ１４）。次に、制御部は施療が終了したか否かを判断し（ステップ１５）、施療が終了していないと判断した場合には再びステップ１５に移行し（このことにより常時制御部は施療が終了したか否かを判断していることとなる）、施療が終了していると判断した場合には座部２を背もたれ部１逆方向に傾動させる（ステップ１６）。制御部は座部２が定常位置に傾動したか否かを判断し（ステップ１７）、傾動していないと判断した場合にはさらに傾動させ（ステップ１６）、傾動したと判断した場合に座部２の背もたれ部１方向への傾動を停止させる（ステップ１８）。座部２の傾動が停止した後に、被施療者は座部２から立ち上がる。
【００３３】
このように本実施形態に係るマッサージ機によれば、リモコン８から施療指令が入力された場合に少なくとも座部２が背もたれ部１方向に傾動するので、施療前に座部２に着座している被施療者を背もたれ部１方向に体重をシフトさせ、かかる体重のシフトに伴って被施療者の背中が背もたれ部１に十分に密着し、同時に、被施療者の腰の付け根部分が座部２と背もたれ部１が形成する穴に落ち込み密着し、被施療者がどのような体格であってもどのような座り方をしていても、腰の付け根部分及び背中がそれぞれ本機設計者が想定する箇所に密着させることができ、十分なマッサージ効果を被施療者に与えることができる。また、座部２と背もたれ部１が形成する穴に腰の付け根部分が落ち込むということは、腰部分にこれ以上ない自重がかかっており強力なマッサージ力を必要とする腰部分のマッサージにおいて最適な状態を形成しており、理想的な腰部分のマッサージを被施療者に提供することができる。
【００３４】
被施療者の座部２の傾動に伴う人体の移動について図９を用い説明する。この時の被施療者はマッサージ機が想定する被施療者の体格と略一致するものとし、ここでの体格が一致とは、座部２の縦方向の長さと被施療者の膝裏から尾てい骨までの距離が等しいことをいう。このようにマッサージ機が想定する被施療者の体格を有する人でさえ、座った状態が悪ければ以下のようにして姿勢を矯正する必要があり、被施療者の体格を有しない人にあってはより座った状態が悪いということが容易に想定できる。例えば、身長が小さい人では膝裏を座部２とフットレスト４の連結部分に押し当てることで腰の付け根がどうしても座部２と背もたれ部１が形成する穴から離間してしまう。図９（ａ）のように被施療者が腰の付け根が座部２と背もたれ部１が形成する穴から離間して着座したとする。被施療者が施療指令を入力して座部２が背もたれ部１方向に傾動するとそれに伴って大腿部下方向にあった自重がシフトして腰の付け根部分に集中し、前記座部２と背もたれ部１が形成する穴に落ち込み図９（ｂ）のようになる。さらに、図９（ｂ）が座部２の傾動完了位置として座部２の傾動が停止した後、フットレスト４を定常位置から患部面方向に傾動させ図９（ｃ）のような状態にすることもできる。この図９（ｃ）は、単にフットレスト４が傾動可能なことを示しているだけでなく、図９（ｂ）と比べ、膝下の自重が更に腰の付け根部分に集中しているので腰周辺の施療に対し施療子から逃げることができず十分なマッサージを受けることができると共に、仮に、図９（ｂ）のように座部２が傾動完了位置に傾動していても腰の付け根部分が座部２と背もたれ部１が形成する穴から離間している場合には膝下の自重がかかることで腰の付け根部分が落ち込ませることができる。
【００３５】
また、図９（ｂ）と比べ図９（ｃ）は、フットレスト４の傾動によりフットレスト４と座部２との形成角が大きくなって被施療者の脚の延出方向が水平方向と略同一となって被施療者にとって窮屈ではなくリラックスした状態となっており、一方、座部２が傾動完了位置になった後に、すなわち、被施療者が背もたれ部１に押し付けられた状態で背もたれ部１のリクライニングしている。この時は身体と背もたれ部１が密接に近い状態なので、身体部位の検出精度が向上し、また設計者の意図するマッサージ効果を十分発揮させられるだけでなく、身体の折れ部と椅子の回動枢支部が近接していることで背もたれ部１のリクライニングを行なっても肩位置がずれないという特有の効果も生じさせている。さらに、図９（ｃ）のように座部２及びフットレスト４を位置させたときでも、図９（ｃ´）のように腰の付け根部分が穴に落ち込んでいない場合には、一時的に、座部２及びフットレストを傾動させて図９（ｄ）の位置としより自重を腰の付け根部分に集中させることができる（図９（ｄ）中点線は図９（ｃ´）との比較ために便宜的に付加した）。ただし、図９（ｄ）の位置に座部２及びフットレスト４を再び図９（ｃ）のように傾動完了位置に戻すこととする。この一時的傾動動作は使用者の判断で手動で行なうことも可能だが、一連の座部の傾動動作の中に組み込み自動的に行なうことも出来る。この動作は一回でなく複数回繰り返すことも可能である。更にはこの動作は定常状態からいきなり行なっても構わない。
すなわち、本発明でいう施療操作部から施療指令が入力された場合に行なわれる傾動とは、手動または自動で直ちに定常状態に復帰するようなものを含んでいる。
【００３６】
またこのような一時的動作は背もたれ部１の傾動にも組み合わせるとより効果的である。具体的には座面前端側が上昇するタイミングで背もたれ部１が起きる方向へ、すなわち座部と背もたれ部との形成角を小さくする方向へ動作させる。座部２の傾動完了位置とはおおよそ被施療者を座部２と背もたれ部１が形成する穴に腰の付け根を落ち込ませることができる座部２の位置であると共に、施療に適している位置でもあるからであり施療が開始されるまでに戻っておくことが好ましく、また、腰の付け根を落ち込ませることができれば場合によっては、傾動完了位置に戻る動作だけでなく、定常位置に戻すこととしてもよい。図９（ｂ）を参照すれば、座部２の傾動に伴い、背もたれ部１及びフットレスト４の位置も変動し背もたれ部１がリクライニングしている状態となっているが、背もたれ部１のリクライニングを行なわないか、もしくは座部２方向に背もたれ部１を傾動させることで前記座部の傾動中に座部と背もたれ部との形成角を維持するか若しくは小さくすると（図９（ｅ）参照、図９（ｅ）中点線は図９（ｂ）との比較ために便宜的に付加した）、被施療者の自重をさらに腰の付け根部分に集中させることができる。この場合も背もたれ部１を座部２方向に傾動させたのは、腰の付け根部分に自重を集中させ座部２と背もたれ部１が形成する穴に落ち込ませるようにする目的のためである。場合によっては背もたれ部１の傾動は一時的なものであっても良い。
【００３７】
（本発明の第２の実施形態）
本発明の第２の実施形態に係るマッサージ機について図１０又は図１１に基づいて説明する。図１０は本実施形態に係るイス式マッサージ機の動作フローチャート、図１１は本実施形態に係るイス式マッサージ機の自動マッサージコースの各施療手段の動作説明図である。
本実施形態に係るマッサージ機は、前記第１の実施形態に係るマッサージ機と同様に構成され、前記座部の傾動完了後に、肩位置を検出する肩検出を行うことを異にする構成である。
【００３８】
前記肩検出は、今までに種々の方法がとられてきたが、例えば、高さ方向の所定間隔毎にもみ玉５１を突き出してもみ玉５１が当たった横方向の位置を記録する背中全体のラインを検出する方法を用いることができ、この方法を用いた場合には、肩まではもみ玉５１を前に突き出すことで当たっていたが肩より上方には何もないためにもみ玉５１をいくら前に突き出しても当たることが無くなり、この当たることがなくなった検出位置から前回の検出位置までの範囲に最低限肩があることが判明する。他にも、もみ玉５１を最上位地点から最大に前に突き出した状態で高さ方向に下がって行き、はじめてもみ玉５１が身体と接触した地点が肩位置だと判断する方法もある。本実施形態に用いることができる肩位置検出は、説明した上記２つの肩検出だけでなく全ての肩検出を用いることができる。
【００３９】
次に、本実施形態に係るマッサージ機の使用動作について説明する（但し、肩検出及び座部の傾動に関して中心に説明し、制御部がエアセル若しくはもみ玉５１に対し与える制御については省略する）。前記第１の実施形態においては使用動作の説明に関し一つのマッサージを被施療者が選択した場合について説明したので、本実施形態の使用動作の説明においては自動マッサージコースを被施療者が選択した場合について説明する。予めマッサージ機は、背もたれ部１、座部２及びフットレスト４が定常位置にある。被施療者は、座部２に着座しフットレスト４に足を挟みこみ背もたれ部１に背もたれ、前腕を肘置き３に載せる。次に、被施療者はマッサージ機に施療の開始を要求すべく、例えば、リモコン８の自動マッサージコースの一つである全身マッサージコースを選択すべく「全身」ボタン８ｆを押下し全身マッサージコースのマッサージを指令する。リモコン８が指定された全身マッサージコースのマッサージに係る施療指令を前記制御部に出力する。前記制御部は指定された全身マッサージコースのマッサージに係る施療指令を入力され（ステップ１０、以下随時図８参照）、座部２を背もたれ部１方向に傾動させる（ステップ１１）。制御部は座部２が傾動完了位置に傾動したか否かを判断し（ステップ１２）、傾動していないと判断した場合にはさらに傾動させ（ステップ１１）、傾動したと判断した場合に座部２の背もたれ部１方向への傾動を停止させる（ステップ１３）。自動マッサージコースか否かを判断する（ステップ２０）。自動マッサージコースと判断した場合には、メカユニットをもみ玉５１を前に突き出すことができる範囲で最下位地点まで移動する（ステップ２１）。前記ステップ２０で自動コースでなかった場合には、後述するステップ２６に移動する。前記ステップ２１の後に、もみ玉を前に突き出す（ステップ２２）。肩位置を検出したか否かを判断する（ステップ２３）。ステップ２３で肩位置を検出したと判断した場合には、後述するステップ２６に移行する。ステップ２３で肩位置が検出していないと判断した場合には、メカユニットを上昇させることができるか否かを判断する（ステップ２４）。ステップ２４で上昇させることができると判断した場合には、メカユニット５を上昇させ（ステップ２５）、ステップ２２に移行する。ステップ２４で上昇させることができない場合には、肩検出をすることなく肩位置は標準肩位置として後述するステップ２６に移行する。
【００４０】
なお、ここで標準肩位置としたが、施療者若しくは被施療者に肩位置を決めるように促したり、施療者若しくは被施療者からの肩位置の指定を受けることもできる。ステップ２６では施療を開始する。施療を開始すると自動マッサージコースに対応するデータ信号にしたがって制御部が指示を与えマッサージを行う。制御部はかかるデータ信号に基づいてエアセル等を制御するのだが、座部１もかかるデータ信号に基づいて自動マッサージコース中の動作させる対象となっており、まず、施療が終了しているか否かを判断し（ステップ２７）、施療が終了していないと判断した場合には座部２を傾動させるポイントか否かを判断する（ステップ２８）。ステップ２８で座部２を傾動させるポイントだと判断した場合には座部２をデータ信号に基づいて指定方向に指定位置まで傾動させ（ステップ２９）、ステップ２７に移行する。ステップ２８で座部を傾動させるポイントでないと判断した場合にはステップ２７に移行する。ステップ２７で施療終了だと判断した場合にはステップ１５に移行する。
【００４１】
次に、制御部は施療が終了したか否かを判断し（ステップ１５）、施療が終了していないと判断した場合には再びステップ１５に移行し（このことにより常時制御部は施療が終了したか否かを判断していることとなる）、施療が終了していると判断した場合には座部２を背もたれ部１逆方向に傾動させる（ステップ１６）。制御部は座部２が定常位置に傾動したか否かを判断し（ステップ１７）、傾動していないと判断した場合にはさらに傾動させ（ステップ１６）、傾動したと判断した場合に座部２の背もたれ部１方向への傾動を停止させる（ステップ１８）。座部２の傾動が停止した後に、被施療者は座部２から立ち上がる。
【００４２】
以上の使用動作をした場合には、図１１に示すように（特に同図中項目座部について中心説明する）、座部２の傾動が開始状態で既に水平を０度とした場合に、１０度傾動した状態であり、次にポイントＡで上記メカユニット５の動作を示すメカ動作で腰を対象として施療前までに２０度まで傾動させ腰を対象としたこの施療が終了後しばらくして１０度に傾動を戻している。同様に、ポイントＢで同様にメカ動作で腰を対象としている施療前に２５度まで傾動させ腰を対象としたこの施療が終了後しばらくして１０度に傾動を戻している。ポイントＣではエアセルの動作を示すエアー部位が動作する前までに２０度まで傾動させこの施療が終了後しばらくして１０度に傾動を戻している。ポイントＤではメカ動作及びエアー部位ともに動作する前に２０度まで傾動させこの施療が終了後しばらくして１０度に傾動を戻している。最後に、自動マッサージコース終了後に自動マッサージコース前よりも若干傾動を戻し５度している。
【００４３】
このように本実施形態に係るマッサージ機によれば、座部２の傾動完了、すなわち、座部２に着座している被施療者を背もたれ部１方向に体重をシフトさせ、かかる体重のシフトに伴って被施療者の背中が背もたれ部１に十分に密着し、同時に、被施療者の腰の付け根部分が座部と背もたれ部１が形成する穴に落ち込み密着し、被施療者がどのような体格であってもどのような座り方をしていても、腰の付け根部分及び背中がそれぞれ本機設計者が想定する箇所に密着している状態となっており、この状態で身体の部位を検出する身体部位検出をすることで本機設計者が想定する条件を満たした上で身体部位の位置等を正確に検出することができる。
【００４４】
（本発明のその他の実施形態）
前記各実施形態に係るマッサージ機において、座部２を傾動完了位置にした後にそのままマッサージを開始しているが、最低限腰の付け根が座部２の背もたれ部１の形成する穴に落ち込んで、マッサージ機が想定する望ましい着座状態となっていればよいので、座部２の傾動完了位置にした後にマッサージを開始する前に座部２の傾動を戻す構成とすることもできる。
【００４５】
前記各実施形態に係るマッサージ機において、施療開始前までに座部２を定常位置から傾動完了位置にしているが、施療後に傾動完了位置から定常位置に戻すこともでき、さらに、定常位置より傾動を戻した水平方向に近い状態に傾動を戻すこともできる。定常位置はこの座部２の傾動の位置でマッサージを受けることもでき前述したように水平方向より傾動した状態となっているが、施療終了後には定常位置から傾動を戻した状態とし容易に立ち上がることができるようにすることもできる。このように立ち上がりが楽な状態で施療を終了し、この状態をマッサージ機が保っておくことで、マッサージをする時以外には座部２の傾動が略なく通常のイスのように使用することもできる。
【００４６】
【発明の効果】
以上のように本発明においては、座部の定常位置から座部の前端が後端よりも上昇するように座部を傾動させているので、座部に着座している被施療者を背もたれ部方向に体重をシフトさせ、かかる体重のシフトに伴って被施療者の背中が背もたれ部に十分に密着し、同時に、被施療者の腰の付け根部分が座部と背もたれ部が形成する穴に落ち込み密着し、被施療者がどのような体格であってもどのような座り方をしていても、腰の付け根部分及び背中がそれぞれ本機設計者が想定する箇所に密着させることができ、十分なマッサージ効果を被施療者に与えることができるという効果を奏する。また、座部と背もたれ部が形成する穴に腰の付け根部分が落ち込むことで、背もたれ部のリクライニング時の中心と被施療者の上半身の曲折の中心が近づき、背もたれ部がリクライニングしても被施療者の肩位置がずれず、ずれ補正やずれた肩を検出する等の特別の手段を用いることなく適切なマッサージを被施療者に提供することができる。また、座部と背もたれ部が形成する穴に腰の付け根部分が落ち込むということは、腰部分にこれ以上ない自重がかかっており強力なマッサージ力を必要とする腰部分のマッサージにおいて最適な状態を形成しており、理想的な腰部分のマッサージを被施療者に提供することができる。
【００４７】
また、本発明においては、前記座部の傾動中に座部と背もたれ部との形成角を維持する若しくは小さくしているので、形成角の維持により座部が傾動した分背もたれ部もリクライニングした状態となり腰の背もたれへの押し当てがより確実になり、さらに、形成角を小さくすることで上述のように、より腰の付け根部分が穴に落ち込みやすくなり、したがってより背もたれ部と身体（特に腰部）が密着することになるという効果を奏する。座部が傾動した分に加えて背もたれ部のリクライニングが起き上がった状態となってより腰の背もたれへの押し当てが強くなる。特に座部のみが傾動し、背もたれ部が鉛直方向に対し絶対的に傾動しない構成とした場合、身体の背もたれ部への凭れ掛かり度合いの変化が小さいので背もたれ部に備わったもみ玉のような施療部の施療度合いに差が出難い構成となり都合が良い。
【００４８】
また、本発明においては、前記座部の傾動中に座部と脚置部との形成角を維持する若しくは大きくしているので、座部のみが傾動して脚置部がそのままの状態を保つものと比べて形成角の維持により座部と脚置部の接合部分に形成される凸に膝裏が引っかからずに膝裏周辺に対して負担をかけることがないと共に、身体の背もたれ側への移動がスムーズとなって腰の付け根部分が落ち込むことを助長することとなり、さらに、形成角を大きくすることにより座部と脚置部の接合部分に形成される凸がよりフラットに近い状態になり前述した膝裏周辺に対する負担の低減化及び腰の付け根部分の落ち込みへの助長をさらに進めることとなるという効果を奏する。
【００４９】
また、本発明においては、施療操作部から施療指令が入力された場合に少なくとも座部が傾動するので、施療前に座部に着座している被施療者を背もたれ部方向に体重をシフトさせ、かかる体重のシフトに伴って被施療者の背中が背もたれ部に十分に密着し、同時に、被施療者の腰の付け根部分が座部と背もたれ部が形成する穴に落ち込み密着し、被施療者がどのような体格であってもどのような座り方をしていても、施療前若しくは施療中に腰の付け根部分及び背中がそれぞれ本機設計者が想定する箇所に密着させることができ、十分なマッサージ効果を被施療者に与えることができるという効果を奏する。
【００５０】
また、本発明においては、施療操作部から施療指令が入力された場合に少なくとも座部が傾動し、この傾動に連動して脚置部が傾動するので、施療前に座部の傾動によりに座部に着座している被施療者を背もたれ部方向に体重をシフトさせ、かかる体重のシフトに伴って被施療者の背中が背もたれ部に十分に密着し、脚置部の傾動により脚置部と座部が形成する曲折部分に被施療者の膝下裏が引っかかることなく被施療者の腰の付け根部分が座部と背もたれ部が形成する穴に落ち込み密着し、被施療者がどのような体格であってもどのような座り方をしていても、腰の付け根部分及び背中がそれぞれ本機設計者が想定する箇所に密着させることができ、十分なマッサージ効果を被施療者に与えることができるという効果を有する。
【００５１】
また、本発明においては、前記座部の傾動完了後に、身体部位検出をするので、座部の傾動完了、すなわち、座部に着座している被施療者を背もたれ部方向に体重をシフトさせ、かかる体重のシフトに伴って被施療者の背中が背もたれ部に十分に密着し、同時に、被施療者の腰の付け根部分が座部と背もたれ部が形成する穴に落ち込み密着し、被施療者がどのような体格であってもどのような座り方をしていても、腰の付け根部分及び背中がそれぞれ本機設計者が想定する箇所に密着している状態となっており、この状態で身体の部位を検出する身体部位検出をすることで本機設計者が想定する条件を満たした上で身体部位の位置等を正確に検出することができるという効果を有する。
【００５２】
また、本発明においては、背もたれ部及び／又は座部の背もたれ側に被施療者が接触しているか否かを検出可能な接触検出器を設け、かかる検出器で背もたれ部及び／又は座部の背もたれ側で接触を検出できない場合には、前記座部の傾動を中止しているので、被施療者が前傾姿勢、若しくは、座部の先端側に体の重心を預けている可能性があり、このまま座部の傾動を進めると座部の傾動機構を故障に至らしめるだけでなく、被施療者が勢いよく背もたれ部に転げ落ちたり、被施療者が座部の前端から落ちたりし、被施療者にとっても大変危険であり、かかる危険を事前に防ぐことができるという効果を有する。
【図面の簡単な説明】
【図１】本発明の第１の実施形態に係るイス式マッサージ機に外観斜視図である。
【図２】本発明の第１の実施形態に係るイス式マッサージ機の側面の断面図である。
【図３】本発明の第１の実施形態に係るイス式マッサージ機のメカユニットの正面図である。
【図４】本発明の第１の実施形態に係るイス式マッサージ機のメカユニットの右側面図である。
【図５】本発明の第１の実施形態に係る座部の傾動完了位置でのイス式マッサージ機の側面の断面図である。
【図６】本発明の第１の実施形態に係る背もたれ部のリクライニング時及びフットレストの傾動時のイス式マッサージ機の側面の断面図である。
【図７】本発明の第１の実施形態に係るリモコンの蓋開閉時の正面図である。
【図８】本発明の第１の実施形態に係るイス式マッサージ機の動作フローチャートである。
【図９】本発明の第１の実施形態に係るイス式マッサージ機の各状態と被施療者との関係の一例を示した説明図である。
【図１０】本発明の第１の実施形態に係るイス式マッサージ機の動作フローチャートである。
【図１１】本発明の第１の実施形態に係るイス式マッサージ機の自動マッサージコースの各施療手段の動作説明図である。
【符号の説明】
１  背もたれ部
２  座部
３  肘置き
４  フットレスト
５  メカユニット
５１  もみ玉
５１ａ  もみ玉支持アーム
５２  傾動部
５２ａ  傾動ラックギア
５３  ベース
５３ａ  傾動ギア
５３ｂ  傾動モータ
５３ｃ  昇降モータ
５３ｄ  ウォーム
５３ｅ  ウォームホイール
５４  昇降軸
５５ａ、５５ｂ、５５ｃ、５５ｄ  ローラ
５６  傾動軸
６  ベース
７  ガイドレール
８  リモコン
８ａ    表示画面
８ｂ  「上下」ボタン
８ｃ  「スタート／収納」ボタン
８ｄ  「停止」ボタン
８ｅ  「首・肩」ボタン
８ｆ  「全身」ボタン
８ｇ  「腰」ボタン８ｇ
８ｈ  「一時停止」ボタン
８ｉ  「短縮」ボタン
８ｊ  「強さ」ボタン
８ｋ  「腕」ボタン
８ｌ  「フットストレッチ」ボタン
８ｍ  「パルス」ボタン
８ｎ  「脚同時」ボタン
８ｏ  「強さ」ボタン
８ｐ  「バイブ」ボタン
８ｑ  「ヒータ」ボタン
８ｒ  「フットレスト」ボタン
８ｓ  「リクライニング」ボタン
８ｔ  「座部」ボタン
８Ａ  「機能」ボタン
８Ｂ  「ストレッチ」ボタン
８Ｃ  「３Ｄ」ボタン
８Ｄ  「速さ」ボタン
８Ｅ  「幅」ボタン
８Ｆ  「全体／部分」ボタン
８Ｇ  「強」ボタン
８Ｈ  「弱」ボタン
８Ｉ  「腕」ボタン
８Ｊ  「部位」ボタン
８Ｋ  「フットストレッチ」ボタン
８Ｌ  「パルス」ボタン
８Ｍ  「脚同時」ボタン
８Ｎ  「強さ」ボタン
９ａ    背中用エアセル
９ｂ  腰用エアセル
９ｃ  臀部用エアセル
９ｄ  太腿用エアセル
１０、１０ａ、１０ｂ、１０ｃ、１０ｄ  脚用エアセル
１１  エアポンプ
１２ａ、１２ｂ  座部アクチュエーター
１２ｃ  背もたれ部アクチュエーター
１２ｄ  フットレスト部アクチュエーター
１３ａ    第１のリンク
１３ｂ  第２のリンク
１４  座部基台
１５  枢軸結合部
１５ａ    枢軸
【図１】
2004344316.tif 000003
【図２】
2004344316.tif 000004
【図３】
2004344316.tif 000005
【図４】
2004344316.tif 000006
【図５】
2004344316.tif 000007
【図６】
2004344316.tif 000008
【図７】
2004344316.tif 000009
【図８】
2004344316.tif 000010
【図９】
2004344316.tif 000011
【図１０】
2004344316.tif 000012
【図１１】
2004344316.tif 000013